(57)【要約】【課題】空気調和機用室内機等の空気熱交換器における伝熱フィンおよび切り起し片部分の凝縮水の流下を促進し、水飛びや霧吹き等を防止する。【解決手段】伝熱管１２，１２・・・、１２，１２・・・と、該伝熱管１２，１２・・・、１２，１２・・・に対してクロスする状態で多数枚並設された伝熱フィン１３ａ，１３ａ・・・、１３ｂ，１３ｂ・・・と、該伝熱フィン１３ａ，１３ａ・・・、１３ｂ，１３ｂ・・・の伝熱面に設けられた切起し片１４，１４・・・、１４，１４・・・とからなる熱交換器であって、上記切起し片１４，１４・・・、１４，１４・・・を、当該熱交換器設置時の水平方向への傾斜角に応じて鉛直となる方向に延設し、凝縮水が流下しやすいようにした。【選択図】        図３
2008224200.tif 000002
【特許請求の範囲】
【請求項１】
伝熱管１２，１２・・・、１２，１２・・・と、該伝熱管１２，１２・・・、１２，１２・・・に対してクロスする状態で多数枚並設された伝熱フィン１３ａ，１３ａ・・・、１３ｂ，１３ｂ・・・と、該伝熱フィン１３ａ，１３ａ・・・、１３ｂ，１３ｂ・・・の伝熱面に設けられた切起し片１４，１４・・・、１４，１４・・・とからなる熱交換器であって、上記切起し片１４，１４・・・、１４，１４・・・は、当該熱交換器設置時の水平方向への傾斜角に応じて鉛直となる方向に延びて設けられていることを特徴とする熱交換器。
【請求項２】
切起し片１４，１４・・・、１４，１４・・・が、スリットであることを特徴とする請求項１記載の熱交換器。
【請求項３】
切起し片１４，１４・・・、１４，１４・・・が、ルーバーであることを特徴とする請求項１記載の熱交換器。
【請求項４】
切起し片１４，１４・・・、１４，１４・・・の上下各端部に、それぞれ鉛直方向に延びる凝縮水ガイド用の線状部ａ，ｂ・・・、ａ，ｂ・・・を設けたことを特徴とする熱交換器。
【請求項５】
線条部ａ，ｂ・・・、ａ，ｂ・・・が線状の切り込みであり、該切り込みａ，ｂ・・・、ａ，ｂ・・・は、それぞれ切起し片１４，１４・・・、１４，１４・・・内に連通していることを特徴とする請求項４記載の熱交換器。
【請求項６】
当該熱交換器が、空気調和機用室内機の熱交換器であることを特徴とする請求項１，２，３，４又は５記載の熱交換器。
【発明の詳細な説明】
【技術分野】
【０００１】
本願発明は、空気調和機用室内機等の熱交換器の構造に関するものである。
【背景技術】
【０００２】
例えば空気調和機用室内機の熱交換器としては、一般にクロスフィンコイル型の空気熱交換器が採用されており、冷房運転時に熱交換器（蒸発器）表面で生じた凝縮水は、重力により当該熱交換器の伝熱フィン表面に沿って流下し、その下方に設けられているドレンパン部分に集められて室外に排出されるようになっている（例えば特許文献１の構成を参照）。
【０００３】
今、このような熱交換器を備えて構成された従来の空気調和機用室内機の第１の構成を図５および図６に示す。
【０００４】
すなわち、この従来例では、上方側から下方側にΛ字状に折り曲げられた所謂ラムダ形の空気熱交換器３２とクロスフローファン３１とを用いて上面側および前面側吸込み、斜め下方吹きの壁掛け型空気調和機用室内機１を構成しており、符号２０は、当該壁掛け型空気調和機用室内機１のカセット型の本体ケーシングである。該本体ケーシング２０は、その背面側パネル部分が当該部屋の壁面に当接するようにして、同壁面に設置されるようになっている。
【０００５】
そして、上記本体ケーシング２０の前面側から上面側には、空気吸込口２５が設けられ、その内側にはラムダ型の空気熱交換器３２とクロスフローファン３１が設けられている。ラムダ型の空気熱交換器３２は、前部側熱交部３２ａと後部側熱交部３２ｂとからなり、それらの内側下方にクロスフローファン３１を設けて設置されている。クロスフローファン３１は、スクロール構造の温調用送風通路３０を介して上記本体ケーシング２０の前面側底部の空気吹出口２９から斜め下方に温調空気を吹出すようになっている。
【０００６】
上記空気熱交換器３２は、その前部側熱交部３２ａおよび後部側熱交部３２ｂ各々の下端を各々ドレンパン２８ａ，２８ｂ内に固定することによって支持されている。
【０００７】
上記空気熱交換器３２の各熱交部３２ａ，３２ｂは、例えば図６に示されるように、空気流Ｆの上流から下流方向に前後２列で、それぞれ交互に位置をズラせて配設された伝熱管１２，１２・・・、１２，１２・・・と、該伝熱管１２，１２・・・、１２，１２・・・の各々に対して所定のピッチを保って多数枚嵌装並設された伝熱フィン１３ａ，１３ａ・・・、１３ｂ，１３ｂ・・・と、該伝熱フィン１３ａ，１３ａ・・・、１３ｂ，１３ｂ・・・の伝熱面上の各伝熱管１２，１２・・・、１２，１２・・・間の上下スペース領域において設けられた前後複数列のスリット（又はルーバー）等の切り起し片１４，１４・・・、１４，１４・・・と、上記伝熱フィン１３ａ，１３ａ・・・、１３ｂ，１３ｂ・・・並設方向の両端側に設けられた図示しない管板とから構成されている。
【０００８】
そして、上記上下伝熱管１２，１２間の上記切起し片１４，１４・・・、１４，１４・・・は、例えば空気流Ｆの上流側から下流側（図示左側から右側）にかけて、両端側のもの１４ａ，１４ａが長く、中間のもの１４ｂ，１４ｂが短かい前後４列の構造のスリット（又はルーバー）からなっている。
【０００９】
したがって、該構成の場合、例えば冷房又は暖房運転時において、送風手段である上記クロスフローファン３１が駆動されると、上記空気吸込口２５から室内の空気が吸込まれ、上記全体としてΛ形状で熱交面積が大きく、しかも空気吸込領域が広い上述のような空気熱交換器３２を介して低圧損で均一かつ効果的に熱交換された温調空気（冷気又は暖気）が、前面部下方の空気吹出口２９から吹き出され、同温調空気が下方に降下して行くことによってユーザーに対する快適な冷房又は暖房空調環境が実現される。
【００１０】
そして、このような壁掛け型の空気調和機用室内機に適用された上記空気熱交換器３２では、特に同熱交換器３２が蒸発器となる冷房運転時の場合、上記伝熱フィン１３ａ，１３ａ・・・、１３ｂ，１３ｂ・・・のフィン面（伝熱面）上で空気中の水分が凝縮し、同フィン面上に多数の結露が生じるとともに、それらがフィン間および上記スリット（又はルーバー）１４ａ，１４ｂ，１４ｂ，１４ａよりなる切り起し片１４，１４・・・、１４，１４・・・部分に付着し滞留する。
【００１１】
このため、風量が大きい時などに空気吹出口からの水飛びや霧吹きが生じる可能性がある。また、これら冷房運転時に熱交換器表面で生じた凝縮水は、運転停止後もフィンおよび切起し片１４，１４・・・、１４，１４・・・間に滞留し、残存しやすい。そして、これらの滞留、残存水がフィン表面への環境浮遊物の付着や、菌の繁殖、あるいはフィンの腐食などを引き起こし、親水性の劣化や臭いの発生の原因ともなる。
【００１２】
もちろん、同構成の場合、上記空気熱交換器３２の前後各熱交部３２ａ，３２ｂは、例えば図５からも明らかなように、略鉛直状態に近い極めて小さな傾斜角（水平方向を最大として）で設置されている。
【００１３】
したがって、それら凝縮水は、重力によつて可能な限りフィン面に沿って下方に流され、ドレンパン２８ａ，２８ｂ内に集められるようになっている
【特許文献１】特開２００４−３５３９１４号公報（明細書１−１３頁、図１−４）
【発明の開示】
【発明が解決しようとする課題】
【００１４】
しかし、実際には上記伝熱フィン１３ａ，１３ａ・・・、１３ｂ，１３ｂ・・・のフィンピッチが狭いことや、またフィン面の親水性の低下などにより、仮に熱交換器自体が鉛直に近い図示のような起立状態に設置されている場合であっても、上記フィン間および切起し片部分に凝縮水が滞留しやすく、流下しにくいのが実情である。
【００１５】
また、空気調和機用室内機の機種によっては、第２の構成として例えば図７に示されるように、その構造上、空気熱交換器４２がその主要部分４２ａを鉛直方向から水平方向に大きく傾けて設置されているものがあり、そのような構成の熱交換器４２の場合、図８に示すようになり（図中の傾斜角θを参照）、重力の作用が伝熱フィンの上下方向（長手方向）および切起し片の上下方向（長手方向）に作用しにくいことに加えて、図８中の矢印からも理解されるように重力の向きと風の向きとが逆になるため、上述した凝縮水の挙動自体が不安定となり、より空気吹出口４９からの水飛びや霧吹きが生じやすくなる問題がある。
【００１６】
なお、図７中において、符号１は空気調和機用室内機、３は天井、４０は送風通路、４１はクロスフローファン、４２ａは熱交換器４２の水平方向に所定角以上傾斜して設置された主要部分、４２ｂは同熱交換器４２の水平方向への傾斜角の小さな上端側係止部分、４４は天井パネル、４５は空気吸込口、４９は空気吹出口、５０は本体ケーシング、４８ａ〜４８ｃは上記熱交換器４２の主要部分４２ａから上端側係止部分４２ｂに対応して下方側に設置された第１〜第３のドレンパンである。
【００１７】
これらの問題は、上述の切起し片１４，１４・・・の前後両端側のスリット（又はルーバー）１４ａ，１４ａが、例えば図９のように上下２つに分割された上下分割スリット（又はルーバー）１４ａ，１４ａ、１４ａ，１４ａの場合にも全く同様である。
【００１８】
本願発明は、このような問題を解決するためになされたもので、上下伝熱管の間に設けられたスリットまたはルーバ等の切起し片の長手方向が当該熱交換器の設置時における水平方向への傾斜角に応じて鉛直方向に延びるものとすることにより、効果的に水の流下を促進するようにした空気調和機用室内機等に適した熱交換器を提供することを目的とするものである。
【課題を解決するための手段】
【００１９】
本願発明は、上記の目的を達成するために、次のような課題解決手段を備えて構成されている。
【００２０】
（１）  請求項１の発明
この発明の熱交換器は、伝熱管１２，１２・・・、１２，１２・・・と、該伝熱管１２，１２・・・、１２，１２・・・に対してクロスする状態で多数枚並設された伝熱フィン１３ａ，１３ａ・・・、１３ｂ，１３ｂ・・・と、該伝熱フィン１３ａ，１３ａ・・・、１３ｂ，１３ｂ・・・の伝熱面に設けられた切起し片１４，１４・・・、１４，１４・・・とからなる熱交換器であって、上記切起し片１４，１４・・・、１４，１４・・・は、当該熱交換器設置時の水平方向への傾斜角に応じて鉛直となる方向に延びて設けられていることを特徴としている。
【００２１】
このような構成によれば、熱交換器設置時において、伝熱フィン１３ａ，１３ａ・・・、１３ｂ，１３ｂ・・・の切起し片１４，１４・・・、１４，１４・・・の延びる長手方向が凝縮水の重力による流下方向と一致し、伝熱フィン１３ａ，１３ａ・・・、１３ｂ，１３ｂ・・・面上に生じた凝縮水が、当該伝熱フィン１３ａ，１３ａ・・・、１３ｂ，１３ｂ・・・のフィン面間、特に伝熱フィン１３ａ，１３ａ・・・、１３ｂ，１３ｂ・・・の当該切起し片１４，１４・・・、１４，１４・・・部分間に滞留することなく、それらの各切起し片１４，１４・・・、１４，１４・・・を介してスムーズに下方に流下するようになる。
【００２２】
これにより、従来のような挙動不安定な凝縮水の滞留による水飛びや霧吹きが生じにくくなるとともに、伝熱フィン１３ａ，１３ａ・・・、１３ｂ，１３ｂ・・・表面への環境浮遊物の付着、菌の繁殖、フィンの腐食などを可能な限り防止することができる。
【００２３】
また、冷房運転中の水はけ性が良好となるため、フィン面の伝熱性能が向上するとともに、通風抵抗が低減されて送風性能も向上するので、冷房能力自体も向上する。
【００２４】
（２）  請求項２の発明
この発明の熱交換器は、上記請求項１の発明の構成において、切起し片１４，１４・・・、１４，１４・・・が、スリットであることを特徴としている。
【００２５】
このような構成によれば、上記凝縮水が、上記伝熱フィン１３ａ，１３ａ・・・、１３ｂ，１３ｂ・・・のフィン面間、特に同伝熱フィン１３ａ，１３ａ・・・、１３ｂ，１３ｂ・・・の当該スリットよりなる切起し片１４，１４・・・、１４，１４・・・部分に滞留することなく、それら各スリットを介してスムーズに下方に流下するようになる。
【００２６】
（３）  請求項３の発明
この発明の熱交換器は、上記請求項１の発明の構成において、上記切起し片１４，１４・・・、１４，１４・・・が、ルーバーであることを特徴としている。
【００２７】
このような構成によれば、上記凝縮水が、上記伝熱フィン１３ａ，１３ａ・・・、１３ｂ，１３ｂ・・・のフィン面間、特に同伝熱フィン１３ａ，１３ａ・・・、１３ｂ，１３ｂ・・・の当該ルーバーよりなる切起し片１４，１４・・・、１４，１４・・・部分に滞留することなく、それら各ルーバーを介してスムーズに下方に流下するようになる。
【００２８】
（４）  請求項４の発明
この発明の熱交換器は、上記請求項１，２又は３の発明の構成において、切起し片１４，１４・・・、１４，１４・・・の上下各端部に、それぞれ鉛直方向に延びる凝縮水ガイド用の線状部ａ，ｂ・・・、ａ，ｂ・・・を設けたことを特徴としている。
【００２９】
このような構成によると、上記伝熱フィン１３ａ，１３ａ・・・、１３ｂ，１３ｂ・・・のフィン面に生じた凝縮水が、上記凝縮水ガイド用の線状部ａ，ｂ・・・、ａ，ｂ・・・に沿って切起し片１４，１４・・・、１４，１４・・・の内部にスムーズに導入され、また切起し片１４，１４・・・、１４，１４・・・の内部から下方にスムーズに流出して伝熱フィン１３ａ，１３ａ・・・、１３ｂ，１３ｂ・・・下縁方向に流れ落ちる。
【００３０】
したがって、切起し片１４，１４・・・、１４，１４・・・部分における凝縮水の排出効果が、より有効に向上する。
【００３１】
しかも、上記凝縮水ガイド部は単なる線状部ａ，ｂ・・・、ａ，ｂ・・・であるので、溝を形成した場合のような通風抵抗が生じない。
【００３２】
（５）  請求項５の発明
この発明の熱交換器は、上記請求項４の発明の構成において、線条部ａ，ｂ・・・、ａ，ｂ・・・が線状の切り込みであり、該切り込みａ，ｂ・・・、ａ，ｂ・・・は、それぞれ切起し片１４，１４・・・、１４，１４・・・内に連通していることを特徴としている。
【００３３】
このような構成によれば、上記伝熱フィン１３ａ，１３ａ・・・、１３ｂ，１３ｂ・・・のフィン面上に生じた凝縮水が、上記伝熱フィン１３ａ，１３ａ・・・、１３ｂ，１３ｂ・・・のフィン面間、特に同伝熱フィン１３ａ，１３ａ・・・、１３ｂ，１３ｂ・・・の当該切起し片１４，１４・・・、１４，１４・・・部分に滞留することなく、それらの上下各端部部分において各々上方側から下方側鉛直方向に延びる線状の切り込みよりなる線条部ａ，ｂ・・・、ａ，ｂ・・・を介してスムーズに導入、導出されて下縁方向に流下するようになる。
【００３４】
（６）  請求項６の発明
この発明の熱交換器は、上記請求項１，２，３，４又は５の発明の構成において、当該熱交換器が、空気調和機用室内機の熱交換器であることを特徴としている。
【００３５】
以上の各発明の構成の熱交換器によれば、当該熱交換器が、冷房運転時に伝熱フィン表面に結露が生じやすい、例えば天井埋込型等の空気調和機用室内機の熱交換器であり、同室内機の冷房運転時において、熱交換器の伝熱フィン間および切起し片部分に生じる凝縮水がスムーズにドレンパン側に排出される。
【００３６】
また、それによって冷房運転中の水はけ性が良好となるため、フィン面の伝熱性能が向上するとともに、通風抵抗が低減されて送風性能も向上するので、冷房能力自体も向上する。
【発明の効果】
【００３７】
以上の結果、本願発明によると、冷房運転中の水はけ性が良好で、水飛びや霧吹き等を防止等をすることができ、しかも伝熱フィン表面への環境浮遊物の付着、菌の繁殖、フィンの腐食などが生ぜず、有効に冷房能力の向上が可能な空気調和機用の室内機に適した高性能の熱交換器を簡単かつ低コストに提供することができるようになる。
【発明を実施するための最良の形態】
【００３８】
（最良の実施の形態１）
先ず図１〜図３は、本願発明の最良の実施の形態１に係る空気調和機用室内機（例えば一例として図７の天井埋込型空気調和機用室内機を参照）に適した空気熱交換器の構成および作用を示している。
【００３９】
すなわち、この空気熱交換器４２（４２ａ）は、例えば空気流Ｆの上流側から下流側方向に前後２列で、それぞれ交互に位置をズラせて配設された伝熱管１２，１２・・・、１２，１２・・・と、該伝熱管１２，１２・・・、１２，１２・・・の各々に対して所定のピッチを保ってクロス方向に多数枚嵌装並設された伝熱フィン１３ａ，１３ａ・・・、１３ｂ，１３ｂ・・・と、該伝熱フィン１３ａ，１３ａ・・・、１３ｂ，１３ｂ・・・の伝熱面上の伝熱管１２，１２・・・、１２，１２・・・間のスペース領域において上下斜め方向に配列された、複数列のスリット１４ａ〜１４ｈ、１４ａ〜１４ｈ・・・よりなる切り起し片１４，１４・・・、１４，１４・・・と、上記伝熱フィン１３ａ，１３ａ・・・、１３ｂ，１３ｂ・・・の並設方向両端側に設けられた図示しない管板とから構成されている。
【００４０】
本実施の形態の場合、上記上下伝熱管１２，１２間の上記切起し片１４，１４・・・、１４，１４・・・の複数列のスリット１４ａ〜１４ｈ、１４ａ〜１４ｈ・・・は、それらの斜め上下方向両端側のもの１４ａ，１４ｂと１４ｇ，１４ｈが短かく、それらの中間のもの１４ｃ，１４ｅが長い構造のものからなっている。
【００４１】
そして、同熱交換器４２ａ（４２ａ）の上記伝熱フィン１３ａ，１３ａ・・・、１３ｂ，１３ｂ・・・の各切起し片１４，１４・・・、１４，１４・・・の上下斜め方向に配列されたスリット１４ａ〜１４ｈ、１４ａ〜１４ｈ・・・の各端部が所定の傾斜角を有して形成されている前側の２列では前縁側の上下、後側の２列では後縁側の上下に寄せて設けられている。
【００４２】
このような構成によれば、上記伝熱フィン１３ａ，１３ａ・・・、１３ｂ，１３ｂ・・・のフィン表面に生じた凝縮水が、当該熱交換器３２ａ（３２ｂ）の上記図７のような傾斜設置状態（傾斜角θ）において、それぞれ上下各鉛直方向に延びるスリット１４ａ〜１４ｈ、１４ａ〜１４ｈ・・・を介して伝熱フィン１３ａ，１３ａ・・・、１３ｂ，１３ｂ・・・の下縁側方向にスムーズに流れるようになり、同伝熱フィン１３ａ，１３ａ・・・、１３ｂ，１３ｂ・・・の下縁を介して下方側のドレンパン（図７の４８ａ，４８ｂを参照）内に導入されるようになる。
【００４３】
したがって、上記伝熱フィン１３ａ，１３ａ・・・、１３ｂ，１３ｂ・・・途中のフィン面間はもちろん、複数列のスリット１４ａ〜１４ｈ、１４ａ〜１４ｈ・・・よりなる切起し片１４，１４・・・、１４，１４・・・部分に滞留する凝縮水がなくなり、水飛びや霧吹き、フィン表面への環境浮遊物の付着、菌の繁殖、フィンの腐食などをも防止することができる。
【００４４】
また、冷房運転中の水はけ性が良好となるため、フィン面の伝熱性能が向上するとともに、通風抵抗が低減されて送風性能も向上するので、冷房能力自体も向上する。
【００４５】
なお、以上のように各切起し片１４，１４・・・、１４，１４・・・を鉛直方向に配設しても、同図７の構成における空気流Ｆの流れは、例えば図２中の矢印からも明らかなように、図７のスクロール構造の温調用送風通路４０の通路軸に沿って、当該熱交換器４２（４２ａ）を下方側から上方側水平方向前方に向けて円弧状に通過するように流れ、各切起し片１４，１４・・・、１４，１４・・・の長手方向に対して十分に有効なクロス方向の角度を有して流通するので、その前縁効果も殆ど低下しない。従って伝熱性能を低下させなくて済む。
【００４６】
その結果、同構成によると、水飛びや霧吹き、細菌の付着、フィンの腐食などが生ぜず、冷房運転中の水はけ性も良好で、冷房運転時能力の向上が可能な空気調和機用の室内機に適した高性能のクロスフィンコイル型の空気熱交換器を低コストに提供することができるようになる。
【００４７】
なお、以上の説明および図示の形態における切り起し片１４，１４・・・、１４，１４・・・については、上述のようなスリット１４ａ〜１４ｈ、１４ａ〜１４ｈ・・・構造の場合に限らず、例えばルーバー構造その他の構造の場合でもよく、各種の形態および個数、列数のものを任意に採用することができる。
【００４８】
（最良の実施の形態２）
次に図４は、本願発明の最良の実施の形態２に係る空気調和機用室内機（同じく図７のものを参照）に適用した空気熱交換器の構成示している。
【００４９】
この実施の形態では、上記最良の実施の形態１と同様のクロスフィンコイル型空気熱交換器において、その切起し片１４，１４・・・、１４，１４・・・として、上下両端側部分にそれぞれ上方側および下方側鉛直方向に直線状に延びる凝縮水ガイド用の線条部、具体的には線状の切り込み（切断部）ａ，ｂ・・・、ａ，ｂ・・・を当該各スリット１４ａ〜１４ｈ、１４ａ〜１４ｈ・・・内に連通する状態で設けたことを特徴としている。
【００５０】
このような構成によれば、上述の構成による凝縮水の流下促進作用に加えて、伝熱フィン１３ａ，１３ａ・・・、１３ｂ，１３ｂ・・・のフィン表面に生じた凝縮水が上記上下鉛直方向に延びる各スリット１４ａ〜１４ｈ、１４ａ〜１４ｈ・・・の上方側の切り込みａ，ａ・・・、ａ，ａ・・・に集められた後に、その上端面側（上部のテーパー面側）に回り込むことなく、各スリット１４ａ〜１４ｈ、１４ａ〜１４ｈ・・・内に効果的に流入し、その後、下方側の切込みｂ，ｂ・・・、ｂ，ｂ・・・を介して伝熱フィン１３ａ，１３ａ・・・、１３ｂ，１３ｂ・・・の下縁側にスムーズに流れ出るようになり、同伝熱フィン１３ａ，１３ａ・・・、１３ｂ，１３ｂ・・・の下縁を介してスムーズに下方側のドレンパン（図７の４８ａ，４８ｂを参照）内に導入されるようになる。
【００５１】
したがって、より凝縮水の流下排出作用を促進することができ、より確実に水飛び、霧吹き現象等を回避することができる。
【００５２】
（各種の適用形態）
なお、上記最良の実施の形態１，２の各熱交換器は、例えば前述した図５，図７のような構成の空気調和機用室内機のクロスフィンコイル型空気熱交換器として最適なものとなり、水飛びや霧吹き等の防止はもちろん、伝熱フィン表面への環境浮遊物の付着、菌の繁殖、フィンの腐食などが生ぜず、冷房運転中の水はけ性も良好で、冷房能力の向上が可能な空気調和機用の室内機に適した空気熱交換器を簡単かつ低コストに提供することができるが、本願発明の熱交換器は、その他にも各種の形態の冷凍装置に適用することができることは言うまでもない。
【００５３】
また上記の切起し片１４，１４・・・は、例えば前述の図９のように上下２つに分割された上下分割スリット（又はルーバー）の場合にも全く同様に適用することができる。
【図面の簡単な説明】
【００５４】
【図１】本願発明の最良の実施の形態１に係る空気熱交換器の構成を示す側面図である。
【図２】同空気熱交換器の設置状態（傾斜状態）を示す側面図である。
【図３】同空気熱交換器の要部の構成を拡大して、その作用を示す一部切欠側面図である。
【図４】本願発明の最良の実施の形態２に係る空気熱交換器の構成を拡大して、その作用を示す一部切欠側面図である。
【図５】第１の従来例に係る空気熱交換器を採用して構成した空気調和機用室内機の構成を示す断面図である。
【図６】同空気熱交換器の要部の構成を示す一部切欠側面図である。
【図７】第２の従来例に係る空気熱交換器を採用して構成した空気調和機用室内機の構成を示す断面図である。
【図８】同空気熱交換器の設置状態を示す一部切欠図である。
【図９】同空気熱交換器の要部の構成を示す一部切欠側面図である。
【符号の説明】
【００５５】
１は空気調和機用室内機、３は天井、１２は伝熱管、１３ａ，１３ｂは伝熱フィン、１４は切起し片、１４ａ〜１４ｈは複数列のスリット、２５，４５は空気吸込口、２９，４９は空気吹出口、２８ａ，２８ｂ，４８ａ，４８ｂ，４８ｃはドレンパン、３０，４０は温調用送風通路、３２，４２は熱交換器である。
【図１】
2008224200.tif 000003
【図２】
2008224200.tif 000004
【図３】
2008224200.tif 000005
【図４】
2008224200.tif 000006
【図５】
2008224200.tif 000007
【図６】
2008224200.tif 000008
【図７】
2008224200.tif 000009
【図８】
2008224200.tif 000010
【図９】
2008224200.tif 000011